(57)【要約】【課題】振動や衝撃が加わっても固定側コネクタとフレキ側コネクタの装着を維持できコネクタ外れを確実に防止する上で有利な電子機器を提供する。【解決手段】電子機器１０は、筐体１２と、記録再生部１４と、電装部１６とを含んで構成されている。電装部１６に取着されたフレキシブル基板１８のフレキ側コネクタ２０が、記録再生部１４の固定側コネクタ２２に装着されることで、記録再生部１４と電装部１６とは電気的に接続されている。筐体１２は、上ケース１２Ａと下ケース１２Ｂが合わされて構成されている。双方のケース１２Ａ、１２Ｂが合わさり、フレキ側コネクタ２０が固定側コネクタ２２に装着された状態で、フレキ側コネクタ２０の背面２０Ａに臨みフレキ側コネクタ２０の背面２０Ａ方向への移動を阻止する壁部２８が筐体１２である下ケース１２Ｂに設けられている。【選択図】図５
2008218743.tif 000002
【特許請求の範囲】
【請求項１】
筐体の内部に設けられた固定側コネクタと、
筐体の内部に配設されるフレキシブル基板に設けられたフレキ側コネクタとを備え、
前記フレキ側コネクタは、前記固定側コネクタに装脱される接片と、前記接片を収容するハウジングとを有し、
前記ハウジングは、前記接片が設けられた箇所と反対に位置する箇所で前記接片が前記固定側コネクタに装脱される方向に対して交差する方向に延在する背面を有し、
前記双方のコネクタが装着された状態で、前記フレキ側コネクタの背面に臨み前記フレキ側コネクタの前記背面方向への移動を阻止する壁部が前記筐体に設けられている、
ことを特徴とする電子機器。
【請求項２】
前記壁部は、前記双方のコネクタが装着された状態で前記背面に当接している、
ことを特徴とする請求項１記載の電子機器。
【請求項３】
前記筐体は、第１のケースと第２のケースが合わされて構成され、
前記フレキシブル基板と前記固定側コネクタの双方は前記第１のケースに設けられ、
前記壁部は、前記第２のケースに設けられている、
ことを特徴とする請求項１記載の電子機器。
【請求項４】
前記筐体は、第１のケースと第２のケースが合わされて構成され、
前記フレキシブル基板と前記固定側コネクタの双方は前記第１のケースに設けられ、
前記双方のコネクタが装着され、双方のケースが合わされた状態で、前記固定側コネクタと前記フレキ側コネクタは前記第２のケースの内部に位置しており、
前記壁部は、前記第２のケースに設けられている、
ことを特徴とする請求項１記載の電子機器。
【請求項５】
前記筐体は、第１のケースと第２のケースが合わされて構成され、
前記フレキシブル基板は、前記フレキ側コネクタが設けられた部分と反対に位置する部分が前記第１のケースに取着され、
前記固定側コネクタは、前記第１のケースに設けられ、
前記背面は、前記双方のコネクタが装着され、双方のケースが合わされた状態で、前記第１のケースと前記第２のケースが合わされる方向に沿った面内を延在しており、
前記壁部は、前記第２のケースに設けられている、
ことを特徴とする請求項１記載の電子機器。
【請求項６】
前記筐体は、第１のケースと第２のケースが合わされて構成され、
前記フレキシブル基板は、前記フレキ側コネクタが設けられた部分と反対に位置する部分が前記第１のケースに取着され、
前記固定側コネクタは、前記第１のケースに設けられ、
前記第２のケースは、前記第１のケースと前記第２のケースが合わされる方向に対して直交する面上を延在する底壁部を有し、
前記背面は、前記双方のコネクタが装着され、双方のケースが合わされた状態で、前記第１のケースと前記第２のケースが合わされる方向に沿った面内を延在しており、
前記壁部は、前記底壁部上から前記第１のケースと前記第２のケースが合わされる方向に突出している、
ことを特徴とする請求項１記載の電子機器。
【請求項７】
前記筐体は、第１のケースと第２のケースが合わされて構成され、
前記フレキシブル基板は、前記フレキ側コネクタが設けられた部分と反対に位置する部分が前記第１のケースに取着され、
前記固定側コネクタは、前記第１のケースに設けられ、
前記第２のケースは、前記第１のケースと前記第２のケースが合わされる方向に対して直交する面上を延在する底壁部を有し、
前記背面は、前記双方のコネクタが装着され、双方のケースが合わされた状態で、前記第１のケースと前記第２のケースが合わされる方向に沿った面内を延在しており、
前記壁部は、前記底壁部上から前記第１のケースと前記第２のケースが合わされる方向に突出し、
前記壁部の突出する方向の先端の前記底壁部からの高さは、前記双方のコネクタが装着された状態で前記底壁部から最も離れた前記背面の端部と同じ高さに位置している、
ことを特徴とする請求項１記載の電子機器。
【請求項８】
前記筐体は、第１のケースと第２のケースが合わされて構成され、
前記フレキシブル基板は、前記フレキ側コネクタが設けられた部分と反対に位置する部分が前記第１のケースに取着され、
前記固定側コネクタは、前記第１のケースに設けられ、
前記背面は、前記双方のコネクタが装着され、双方のケースが合わされた状態で、前記第１のケースと前記第２のケースが合わされる方向に沿った面内を延在しており、
前記壁部は、前記第２のケースに設けられ、
前記壁部は、前記双方のコネクタが装着された状態で前記背面に当接している、
ことを特徴とする請求項１記載の電子機器。
【請求項９】
前記筐体は、第１のケースと第２のケースが合わされて構成され、
前記フレキシブル基板は、前記フレキ側コネクタが設けられた部分と反対に位置する部分が前記第１のケースに取着され、
前記固定側コネクタは、前記第１のケースに設けられ、
前記第２のケースは、前記第１のケースと前記第２のケースが合わされる方向に対して直交する面上を延在する底壁部を有し、
前記背面は、前記双方のコネクタが装着され、双方のケースが合わされた状態で、前記第１のケースと前記第２のケースが合わされる方向に沿った面内を延在しており、
前記壁部は、前記底壁部上から前記第１のケースと前記第２のケースが合わされる方向に突出し、
前記壁部が前記背面に臨む面は、前記底壁部から離れるにつれて前記背面から遠ざかる方向に傾斜し、かつ、前記底壁部寄りの箇所が前記背面に当接している、
ことを特徴とする請求項１記載の電子機器。
【請求項１０】
電子機器の主要な機能を奏する本体部と、前記本体部を動作させるための電装部とを有し、
前記筐体は、第１のケースと第２のケースが合わされて構成され、
前記第１のケースに、前記第１のケースと前記第２のケースが合わされた状態で前記第１のケースの内部に位置するように前記電装部が設けられると共に、前記第２のケースの内部に位置するように前記本体部が設けられ、
前記フレキシブル基板は、前記フレキ側コネクタが設けられた部分と反対に位置する部分が前記電装部に取着され、
前記固定側コネクタは、前記本体部に設けられ、
前記背面は、前記双方のコネクタが装着された状態で前記第１のケースと前記第２のケースが合わされる方向に沿った面内を延在しており、
前記壁部は、前記第２のケースに設けられている、
ことを特徴とする請求項１記載の電子機器。
【請求項１１】
ディスク状記録媒体に対して記録および／または再生を行なう記録再生部と、前記記録再生部を動作させるための電装部とを有し、
前記筐体は、第１のケースと第２のケースが合わされて構成され、
前記第１のケースに、前記第１のケースと前記第２のケースが合わされた状態で前記第１のケースの内部に位置するように前記電装部が設けられると共に、前記第２のケースの内部に位置するように前記記録再生部が設けられ、
前記フレキシブル基板は、前記フレキ側コネクタが設けられた部分と反対に位置する部分が前記電装部に取着され、
前記固定側コネクタは、前記記録再生部に設けられ、
前記背面は、前記双方のコネクタが装着された状態で前記第１のケースと前記第２のケースが合わされる方向に沿った面内を延在しており、
前記壁部は、前記第２のケースに設けられている、
ことを特徴とする請求項１記載の電子機器。
【発明の詳細な説明】
【技術分野】
【０００１】
本発明は電子機器に関する。
【背景技術】
【０００２】
電子機器として、その筐体の内部においてフレキシブル基板を用いて電気信号の伝達を行うものが提供されている（特許文献１参照）。
このような電子機器として、筐体の内部に移動不能に設けられた固定側コネクタに、フレキシブル基板に設けられたフレキ側コネクタが装着されるものがある。
【特許文献１】特開平７−２１０９６２
【発明の開示】
【発明が解決しようとする課題】
【０００３】
ところで、フレキシブル基板は、その柔軟性を利用して折り曲げて配設されていることからフレキシブル基板の弾性力が固定側コネクタからフレキ側コネクタを外す方向に作用する場合がある。
この場合、固定側コネクタとフレキ側コネクタが装着された状態で、筐体に振動や衝撃が加わった場合、前記弾力性の作用によって双方のコネクタの装着が緩みやすく、コネクタが外れることが懸念される。
本発明はこのような事情に鑑みなされたものであり、その目的は、振動や衝撃が加わっても固定側コネクタとフレキ側コネクタの装着を維持できコネクタ外れを確実に防止する上で有利な電子機器を提供することにある。
【課題を解決するための手段】
【０００４】
上述の目的を達成するため、本発明の電子機器は、筐体の内部に設けられた固定側コネクタと、筐体の内部に配設されるフレキシブル基板に設けられたフレキ側コネクタとを備え、前記フレキ側コネクタは、前記固定側コネクタに装脱される接片と、前記接片を収容するハウジングとを有し、前記ハウジングは、前記接片が設けられた箇所と反対に位置する箇所で前記接片が前記固定側コネクタに装脱される方向に対して交差する方向に延在する背面を有し、前記双方のコネクタが装着された状態で、前記フレキ側コネクタの背面に臨み前記フレキ側コネクタの前記背面方向への移動を阻止する壁部が前記筐体に設けられていることを特徴とする。
【発明の効果】
【０００５】
本発明によれば、フレキ側コネクタおよび固定側コネクタが装着された状態で、壁部がフレキ側コネクタの背面に臨みフレキ側コネクタの背面方向への移動を阻止するので、振動や衝撃が加わっても双方のコネクタの装着を維持できコネクタ外れを確実に防止する上で有利となる。
特に、フレキシブル基板はその柔軟性を利用して折り曲げて配設されていることからフレキシブル基板の弾性力がコネクタを外す方向に作用する場合があるが、そのような弾性が作用したとしてもコネクタ外れを確実に防止することができる。
【発明を実施するための最良の形態】
【０００６】
次に、本発明の実施の形態について図面を参照して説明する。
本実施の形態において電子機器１０はＣＤリッパーと称されるものであり、電子機器１０は、オーディオＣＤなどのディスク状記録媒体１からオーディオデータをリッピングし（読み出し）、そのオーディオデータを携帯用音楽プレーヤーあるいは音楽再生機能を有する携帯電話機などの外部機器に転送する機能を有するものである。
図７は電子機器１０の制御系の構成を示すブロック図である。
また、本実施の形態では、電子機器１０は、上記の外部機器２への転送機能に加え、アナログ信号としてのオーディオ信号を出力する通常の再生機能も備えている。
ディスク状記録媒体１には、ディジタルオーディオデータがピット列として記録されており、ディスク状記録媒体１は、具体的には、コンパクトディスクである。
電子機器１０は、スピンドルモータ１０２、光学ピックアップ１０３、スライド送りモータ１０４、ＲＦアンプ１０５、トラッキングサーボ回路１０６、復調回路１０７、ビットクロック抽出回路１０８、デコーダ１１１、システムコントローラ１１２、ＤＳＰ（ディジタル・シグナル・プロセッサ）１１３、Ｄ／Ａコンバータ１１４、ローパスフィルタ１１５、出力端子１１６Ａ及び１１６Ｂ、スライドサーボ回路１１８、入力スイッチ１１９、クロック発生回路１２０、転送部１２１、外部機器用コネクタ１２２などを含んで構成されている。
スピンドルモータ１０２は、ディスク状記録媒体１を回転させるものであり、ディスク状記録媒体１は、このスピンドルモータ１０２により、線速度一定で回転される。
光学ピックアップ１０３は、ディスク状記録媒体１に対向して配設される。
光学ピックアップ１０３は、ディスク状記録媒体１にレーザービームを照射し、複数分割ディテクタによりその反射光を検出し、再生ＲＦ信号と、トラッキングエラー信号、フォーカスエラー信号とを出力するものである。
また、光学ピックアップ１０３には、レーザービームを制御するための２軸デバイスが備えられている。
そして、光学ピックアップ１０３は、スライド送りモータ１０４により、ディスク状記録媒体１の半径方向に移動されるように構成されている。
スライド送りモータ１０４は、スライドサーボ回路１１８により制御される。
【０００７】
光ピックアップ１０３の出力は、ＲＦアンプ１０５を介して出力される。ＲＦアンプ１０５からのトラッキングエラー信号及びフォーカスエラー信号は、フォーカス・トラッキングサーボ回路１０６に供給される。
フォーカス・トラッキングサーボ回路１０６の出力が光学ピックアップ１０３の２軸デバイスに供給される。これにより、フォーカス及びトラッキング制御がなされる。
ＲＦアンプ１０５からの再生ＲＦ信号は、復調回路１０７に供給されると共に、ビットクロック抽出回路１０８に供給される。
【０００８】
ビットクロック抽出回路１０８はＰＬＬで構成されており、再生ＲＦ信号のビットクロックを抽出する。
再生されたビットクロックは、復調回路１０７に供給されると共に、スピンドルサーボ回路１０９に供給される。スピンドルサーボ回路１０９で、再生ビットクロックと基準クロック発生回路１２０からの基準クロックとが比較され、この比較出力により、スピンドルモータ１０２の回転が制御される。これにより、ディスク状記録媒体１は、ＣＬＶ（線速度一定）で回転される。
【０００９】
復調回路１０７は、ＥＦＭ（８−１４変調）の復調を行うものである。また、復調回路１０７により、所定パターンのシンクが検出され、サブコードが分離される。分離されたサブコードは、システムコントローラ１１２に供給される。そして、再生データは、デコーダ１１１に供給される。
【００１０】
デコーダ１１１は、再生データをデインターリーブし、エラー検出、及びエラー訂正処理を行う。エラー訂正コードとしては、ＣＩＲＣ（クロスインターリーブ・リードソロモン・コード）が用いられる。ここで、エラー訂正不能なデータに対して、補間処理が行われる。
ＤＳＰ１１３は、再生信号の所定の周波数成分を増強する等の信号処理を行い、種々の再生効果を得るために設けられている。デコーダ１１１からのオーディオデータは、このＤＳＰ１１３に供給される。ＤＳＰ１１３により、この再生オーディオデータに対して、信号処理が施される。
【００１１】
ＤＳＰ１１３の出力は、Ｄ／Ａコンバータ１１４に供給される。
Ｄ／Ａコンバータ１１４により、ディジタルオーディオ信号がアナログオーディオ信号に変換される。
このＤ／Ａコンバータ１１４の出力は、ローパスフィルタ１１５を介して、出力端子１１６Ａ及び１１６Ｂに供給される。出力端子１１６Ａ及び１１６Ｂからは、２チャンネルのオーディオ信号が出力される。
【００１２】
システムコントローラ１１２は、サーボ回路１０６、１０９、１１８、デコーダ１１１、ＤＳＰ１１３、クロック発生回路１２０等、装置全体の管理を行うものである。
入力スイッチ１１９は、システムコントローラ１１２に種々の操作入力を与えるものである。具体的には、入力スイッチ１１９は、ディスク状記録媒体１の再生や停止、オーディオデータの外部装置２への転送の開始や停止を指示する操作入力をシステムコントローラ１１２に与える。
【００１３】
クロック発生回路１２０は、ディジタルオーディオデータの処理に必要な周波数４４．１ｋＨｚのクロックを生成し、そのクロックをスピンドルサーボ回路１０９、デコーダ１１１、ＤＳＰ１１３、Ｄ／Ａコンバータ１１４などに供給するものである。
【００１４】
転送部１２１は、デコーダ１１１からのオーディオデータを外部機器用コネクタ１２２を介して外部機器２に転送するために必要な処理を行うものである。
外部機器用コネクタ１２２は、携帯用音楽プレーヤーあるいは音楽再生機能を有する携帯電話機などの外部機器２に設けられた外部機器側コネクタに接続されるものである。
本実施の形態では、スピンドルモータ１０２、光学ピックアップ１０３、スライド送りモータ１０４、ＲＦアンプ１０５、トラッキングサーボ回路１０６、復調回路１０７、ビットクロック抽出回路１０８、デコーダ１１１、スライドサーボ回路１１８によって後述する記録再生部１４（図５参照）が構成されている。
また、システムコントローラ１１２、ＤＳＰ（ディジタル・シグナル・プロセッサ）１１３、Ｄ／Ａコンバータ１１４、ローパスフィルタ１１５、入力スイッチ１１９、クロック発生回路１２０、転送部１２１、外部機器用コネクタ１２２は後述する基板２６（図５参照）に設けられ、これにより電装部１６が構成されている。
【００１５】
次に、電子機器１０の内部構造について説明する。
図１は本実施の形態の電子機器１０に外部機器２が接続された使用状態を示す斜視図、図２は図１の電子機器１０の前後を反転させた斜視図である。
図３は上ケース１２Ａの上下を反転した斜視図、図４は下ケース１２Ｂ、記録再生部１４、フレキシブル基板１８、フレキ側コネクタ２０、壁部２８を示す斜視図、図５は電子機器１０の断面図、図６は図５のＡ矢視図である。
図１、図２に示すように、電子機器１０は、筐体１２と、記録再生部１４（図５参照）と、電装部１６（図５参照）とを含んで構成されている。
記録再生部１４は、上述のようにディスク状記録媒体１に対して記録および／または再生を行なうものであり、電装部１６は記録再生部１４を動作させるためのものである。
図４、図５に示すように、電装部１６は基板２６を含んで構成され、基板２６にフレキシブル基板１８が取着されている。
そして、図４、図５に示すように、電装部１６に取着されたフレキシブル基板１８のフレキ側コネクタ２０が、記録再生部１４の固定側コネクタ２２に装着されることで、記録再生部１４と電装部１６とは電気的に接続されている。
なお、本発明において、固定側コネクタとは、筐体１２の内部に筐体１２との相対的位置関係を変えずに配置されたコネクタであり、本実施の形態では、固定側コネクタが記録再生部１４のコネクタとなっている。
また、本実施の形態では、記録再生部１４がＣＤリッパーの主要な機能を奏する特許請求の範囲の本体部に相当している。
【００１６】
図５に示すように、筐体１２は、上ケース１２Ａと下ケース１２Ｂが合わされて構成されている。
下ケース１２Ｂは、上ケース１２Ａと下ケース１２Ｂが合わされる方向に対して直交する面上を延在する底壁部２４を有している。
本実施の形態では、上ケース１２Ａが特許請求の範囲の第１のケースに相当し、下ケース１２Ｂが特許請求の範囲の第２のケースに相当している。
【００１７】
図３、図５に示すように、基板２６は上ケース１２Ａの内部に取着されている。
フレキシブル基板１８の端部は基板２６に取着され、フレキシブル基板１８は基板２６の開口２６Ａを通り下ケース１２Ｂ側に延在し、その端部にフレキ側コネクタ２０が設けられている。すなわち、フレキシブル基板１８は、フレキ側コネクタ２０が設けられた部分と反対に位置する部分が上ケース１２Ａの内部に取着されていることになる。
【００１８】
フレキ側コネクタ２０は、固定側コネクタ２２に装脱される接片２００２と、接片２００２を収容するハウジング２００４とを有している。
ハウジング２００４は、接片２００２が設けられた箇所と反対に位置する箇所で接片２００２が固定側コネクタ２２に装脱される方向に対して交差する方向に延在する背面２０Ａを有している。この背面２０Ａにはフレキシブル基板１８は存在していない。
なお、フレキ側コネクタ２０の構成は、従来公知のさまざまな構造が採用可能であり、フレキシブル基板１８の端部がハウジング２００４に取着されてフレキシブル基板１８の端部がハウジング２００４の背面２０Ａを構成している場合もあり、本発明のハウジング２００４の背面２０Ａはこのような場合も含む。
背面２０Ａは、本実施の形態では、双方のコネクタ２０、２２が装着された状態で上ケース１２Ａと下ケース１２Ｂが合わされる方向に沿った面内を延在している。
【００１９】
記録再生部１４は、記録再生部用ケース１４Ａを有しており、この記録再生部用ケース１４Ａの内部に上述したスピンドルモータ１０２、光学ピックアップ１０３、スライド送りモータ１０４、ＲＦアンプ１０５、トラッキングサーボ回路１０６、復調回路１０７、ビットクロック抽出回路１０８、デコーダ１１１、スライドサーボ回路１１８が収容されている。
記録再生部用ケース１４Ａは上ケース１２Ａに取着され、双方のケース１２Ａ、１２Ｂが合わさった状態で、記録再生部用ケース１４Ａは下ケース１２Ｂの内部に位置している。
そして、固定側コネクタ２２が記録再生部用ケース１４Ａの端面に設けられ、したがって、双方のケース１２Ａ、１２Ｂが合わさった状態で、固定側コネクタ２２は下ケース１２Ｂの内部に位置している。
【００２０】
図５、図６に示すように、双方のケース１２Ａ、１２Ｂが合わさり、フレキ側コネクタ２０が固定側コネクタ２２に装着された状態で、フレキ側コネクタ２０の背面２０Ａに臨みフレキ側コネクタ２０の背面２０Ａ方向への移動を阻止する壁部２８が筐体１２である下ケース１２Ｂに設けられている。
壁部２８は、底壁部２４上から上ケース１２Ａと下ケース１２Ｂが合わされる方向に突出している。
図５に示すように、双方のコネクタ２０、２２が装着された状態で壁部２８が背面２０Ａに臨む面２８Ａは、底壁部２４から離れるにつれて背面２０Ａから遠ざかる方向に傾斜し、かつ、底壁部２４寄りの箇所が背面２０Ａに当接している、
壁部２８の突出する方向の先端の底壁部２４からの高さは、双方のコネクタ２０、２２が装着された状態で底壁部２４から最も離れた背面２０Ａの端部と同じ高さに位置している。
【００２１】
次に、電子機器１０の組み立てについて説明する。
まず、フレキシブル基板１８の端部を基板２６の一方の面に取着し、フレキ側コネクタ２０を開口２６Ａを通して基板２６の他方の面に出す。
次いで、図３に示すように、フレキシブル基板１８の一方の面を上ケース１２Ａの内側に臨ませてフレキシブル基板１８を上ケース１２Ａにねじなどで取着する。
そして、記録再生部１４の固定側コネクタ２２にフレキ側コネクタ２０を装着する。
次いで、記録再生部１４を基板２６の他方の面に臨ませた状態で、記録再生部１４を上ケース１２Ａにねじなどで取着する。
最後に、下ケース１２Ｂの底壁部２４を記録再生部１４に臨ませるとともに、下ケース１２Ｂの壁部２８をフレキ側コネクタ２０の背面２０Ａに当て付けつつ、上ケース１２Ａと下ケース１２Ｂとを合わせ、上ケース１２Ａと下ケース１２Ｂとをねじなどによって取着する。
以上で電子機器１０の組み立てが完了する。
【００２２】
本実施の形態によれば、フレキ側コネクタ２０および固定側コネクタ２２が装着された状態で、壁部２８がフレキ側コネクタ２０の背面２０Ａに臨みフレキ側コネクタ２０の背面２０Ａ方向への移動を阻止するので、振動や衝撃が加わっても双方のコネクタ２０、２２の装着を維持できコネクタ外れを確実に防止する上で有利となる。
特に、フレキシブル基板１８はその柔軟性を利用して折り曲げて配設されていることからフレキシブル基板１８の弾性力がコネクタを外す方向に作用する場合があるが、そのような弾性が作用したとしても本実施の形態によればコネクタ外れを確実に防止することができる。
また、本実施の形態では、双方のコネクタ２０、２２が装着されていない状態では、上ケース１２Ａと下ケース１２Ｂとを合わせる際に、フレキ側コネクタ２０が壁部２８の先端に乗り上がるため、上ケース１２Ａと下ケース１２Ｂとを結合することができず、したがって、組み立て作業時において双方のコネクタ２０、２２の装着不良を確実に検出することができ、作業ミスの防止を図る上で有利となる。
また、本実施の形態では、フレキ側コネクタ２０の背面２０Ａは、双方のコネクタ２０、２２が装着された状態で上ケース１２Ａと下ケース１２Ｂが合わされる方向に沿った面内を延在し、壁部２８は、双方のコネクタ２０、２２が装着された状態で壁部２８が背面２０Ａに臨む面が、底壁部２４から離れるにつれて背面２０Ａから遠ざかる方向に傾斜し、かつ、底壁部２４寄りの箇所が背面２０Ａに当接している。
したがって、双方のコネクタ２０、２２の装着が不完全な場合であっても、上ケース１２Ａと下ケース１２Ｂとを合わせ互いに近接させると、壁部２８が背面２０Ａに臨む面の傾斜によって背面２０Ａが固定側コネクタ２２に近接する方向に動かされ、したがって、双方のコネクタ２０、２２の装着をより確実にする上で有利となる。
【００２３】
なお、本実施の形態では、双方のコネクタ２０、２２が装着された状態で壁部２８が背面２０Ａに当接している場合について説明したが、壁部２８は、双方のコネクタ２０、２２の装着状態を保持できればよく、したがって、双方のコネクタ２０、２２が装着された状態で壁部２８が背面２０Ａに当接する場合に限定されず、壁部２８が背面２０Ａから僅かに離れている場合であってもよく、要するに壁部２８は、双方のコネクタ２０、２２が装着された状態で、フレキ側コネクタ２０の背面２０Ａに臨みフレキ側コネクタ２０の背面２０Ａ方向への移動を阻止するものであればよい。
【００２４】
また、本実施の形態では、電子機器１０がＣＤリッパーである場合について説明したが、電子機器１０は、ＣＤリッパーに限定されず、さまざまな機能や用途を有するものに広く適用される。
【図面の簡単な説明】
【００２５】
【図１】本実施の形態の電子機器１０に外部機器２が接続された使用状態を示す斜視図である。
【図２】図１の電子機器１０の前後を反転させた斜視図である。
【図３】上ケース１２Ａの上下を反転した斜視図である。
【図４】下ケース１２Ｂ、記録再生部１４、フレキシブル基板１８、フレキ側コネクタ２０、壁部２８を示す斜視図である。
【図５】電子機器１０の断面図である。
【図６】図５のＡ矢視図である。
【図７】電子機器１０の制御系の構成を示すブロック図である。
【符号の説明】
【００２６】
１０……電子機器、１２……筐体、１８……フレキシブル基板、２０……フレキ側コネクタ、２０Ａ……背面、２００２……接片、２００４……ハウジング、２２……固定側コネクタ、２８……壁部。
【図１】
2008218743.tif 000003
【図２】
2008218743.tif 000004
【図３】
2008218743.tif 000005
【図４】
2008218743.tif 000006
【図５】
2008218743.tif 000007
【図６】
2008218743.tif 000008
【図７】
2008218743.tif 000009